(57)【要約】      （修正有）【課題】環境を消毒するために紫外（ＵＶ）光源を動作させるためのシステムと方法の提供。【解決手段】電力変換装置とＵＶ光源とを含み、電力変換装置は、一の時間区間の間に電力源から入力電力を受け取るための入力、時間区間の第１の部分の間に入力において受け取られた入力電力を使用して電力を蓄積するための電力バッファ、及び時間区間の第２の部分の間に供給電力を出力するための出力を含み、供給電力は、（ｉ）時間間隔の第２の部分の間に入力で受け取られた入力電力と、（ｉｉ）時間間隔の第１の部分の間に電力バッファに蓄積された電力とを組み合わせた電力を含み、ＵＶ光源は、時間区間の第２の部分の間に供給電力を使用して、ターゲットレベルの抗菌効果を提供する強度でＵＶ光を発するように構成される光制御システム。【選択図】なし【特許請求の範囲】
【請求項１】
紫外（ＵＶ）光源（１１０）を動作させる方法であって、
時間区間の第１の部分及び前記時間区間の第２の部分の間に、電力変換装置（１１４）の入力（１１８）において、電力源（１１６）から入力電力を受け取ること、
前記時間区間の前記第１の部分の間に、前記入力電力を使用して電力バッファ（１２８）に電力を蓄積すること、
前記時間区間の前記第２の部分の間に、前記電力変換装置（１１４）の出力（１２０）から供給電力を出力することであって、前記供給電力が、（ｉ）前記時間区間の前記第２の部分の間に前記入力（１１８）において受け取られた前記入力電力と、（ｉｉ）前記時間区間の前記第１の部分の間に前記電力バッファ（１２８）に蓄積された前記電力とを組み合わせた電力を含む、出力すること、及び
前記時間区間の前記第２の部分の間に前記供給電力を使用して、ターゲットレベルの抗菌効果を提供する強度でＵＶ光（１１２）を発するように前記ＵＶ光源（１１０）を作動させること
を含み、前記時間区間の前記第２の部分の間に受け取られた前記入力電力が、前記ターゲットレベルの抗菌効果を提供する前記強度で前記ＵＶ光（１１２）を発するように前記ＵＶ光源（１１０）を作動させるには、それだけでは不十分である、方法。
【請求項２】
前記ＵＶ光源（１１０）によって発せられた前記ＵＶ光（１１２）を感知して、前記ＵＶ光源（１１０）に対する電力変換装置（１１４）の共鳴に関連する前記ＵＶ光（１１２）の光学パラメータを測定すること、及び
測定された前記光学パラメータに基づいて、前記ＵＶ光源（１１０）の周波数に前記電力変換装置（１１４）を同調させるためのフィードバックを提供すること
を更に含む、請求項１に記載の方法。
【請求項３】
前記ＵＶ光（１１２）を感知して前記光学パラメータを測定することが、前記ＵＶ光（１１２）の放射照度を測定することを含む、請求項２に記載の方法。
【請求項４】
前記強度が前記ＵＶ光源（１１０）の最大強度である、請求項１、２、又は３に記載の方法。
【請求項５】
前記電力バッファ（１２８）に前記電力を蓄積することに先立って、前記入力電力を交流電流（ＡＣ）電力から直流電流（ＤＣ）電力へと変換すること
を更に含む、請求項１から４のいずれか一項に記載の方法。
【請求項６】
前記電力バッファ（１２８）に前記電力を蓄積することが、互いに連結された複数のＤＣ／ＤＣ変換装置（１３２）に前記ＤＣ電力を蓄積することを含む、請求項５に記載の方法。
【請求項７】
前記複数のＤＣ／ＤＣ変換装置（１３２）に前記ＤＣ電力を蓄積することが、第１のＤＣ／ＤＣ変換装置（１３２）において前記ＤＣ電力を下げ、第２のＤＣ／ＤＣ変換装置（１３２）において前記ＤＣ電力を上げることを含む、請求項６に記載の方法。
【請求項８】
前記入力電力を変換することが、前記入力電力の力率を補正することを更に含む、請求項５、６、又は７に記載の方法。
【請求項９】
前記ＵＶ光源（１１０）から前記ＵＶ光（１１２）を発することが、約１５０ｎｍから約２４０ｎｍの波長で前記ＵＶ光（１１２）を発することを含む、請求項１から８のいずれか一項に記載の方法。
【請求項１０】
一の時間区間の間に電力源（１１６）から入力電力を受け取るように構成されている入力（１１８）、
前記時間区間の第１の部分の間に前記入力（１１８）において受け取られた前記入力電力を用いて電力を蓄積するように構成されている電力バッファ（１２８）、
前記時間区間の第２の部分の間に供給電力を出力するように構成されている出力（１２０）であって、前記供給電力が、（ｉ）前記時間区間の前記第２の部分の間に前記入力（１１８）において受け取られた前記入力電力と、（ｉｉ）前記時間区間の前記第１の部分の間に前記電力バッファ（１２８）に蓄積された前記電力とを組み合わせた電力を含む、出力（１２０）
を含む電力変換装置（１１４）と、
前記時間区間の前記第２の部分の間に前記供給電力を使用して、ターゲットレベルの抗菌効果を提供する強度でＵＶ光（１１２）を発するように構成されている紫外（ＵＶ）光源（１１０）と
を備えた光制御システム（１００）であって、
前記時間区間の前記第２の部分の間に受け取られた前記入力電力が、前記ＵＶ光源（１１０）が前記ターゲットレベルの抗菌効果を提供する前記強度で前記ＵＶ光（１１２）を発するには、それだけでは不十分である、光制御システム（１００）。
【請求項１１】
前記ＵＶ光源（１１０）によって発せられた前記ＵＶ光（１１２）の光学パラメータを測定するように構成されている光センサ（１３８）であって、前記光学パラメータが、前記ＵＶ光源（１１０）に対する前記電力変換装置（１１４）の共鳴に関連している、光センサ（１３８）、及び
前記電力変換装置（１１４）及び前記光センサ（１３８）に通信可能に連結されて、
前記光センサ（１３８）から、前記光学パラメータを示すセンサ信号を受け取り、
前記センサ信号によって示された前記光学パラメータとターゲット光学パラメータとの比較を実施し、
前記比較に基づいて、フィードバック信号を前記電力変換装置（１１４）に提供し、前記電力変換装置（１１４）を前記ＵＶ光源（１１０）の周波数に同調させる
ように構成されている制御装置（１３６）
を更に備える、請求項１０に記載の光制御システム（１００）。
【請求項１２】
前記光学パラメータが前記ＵＶ光（１１２）の放射照度を含む、請求項１１に記載の光制御システム（１００）。
【請求項１３】
前記強度が前記ＵＶ光源（１１０）の最大強度である、請求項１０、１１、又は１２に記載の光制御システム（１００）。
【請求項１４】
前記入力電力が交流電流（ＡＣ）電力であり、
前記電力変換装置（１１４）が、前記入力電力を直流電流（ＤＣ）電力へと変換するように構成された整流器（１２２）を含む、
請求項１０から１３のいずれか一項に記載の光制御システム（１００）。
【請求項１５】
前記整流器（１２２）が、前記入力電力の力率を補正するように構成された力率補正器（ＰＦＣ）（１３０）を含む、請求項１４に記載の光制御システム（１００）。
【発明の詳細な説明】
【技術分野】
【０００１】
本発明は、概して光システムのためのシステム及び方法に関し、具体的には、環境を消毒するために紫外（ＵＶ）光源を動作させるためのシステムと方法に関する。
【背景技術】
【０００２】
病原体は、多くの異なる方法で、ヒトの間、動物の間、又はヒトと動物の間に広がり得る。その結果として、公共の環境を消毒する必要性が増大している。環境を消毒するための一の手法は、ＵＶ光源を用いて環境に紫外（ＵＶ）光を照射することを含む。しかしながら、場合によっては、ＵＶ光の抗菌効果のターゲットレベルを達成するためにＵＶ光源によって必要とされる電力が、電力源及び／又は環境内の電気的インフラストラクチャによって供給される電力を上回ることがある。
【発明の概要】
【０００３】
一実施例では、ＵＶ光源を動作させる方法が記載される。この方法は、時間区間の第１の部分と時間区間の第２の部分の間に、電力変換装置の入力において、電力源から入力電力を受け取ることを含む。方法はまた、時間区間の第１の部分の間に、入力電力を使用して電力を電力バッファに蓄積することを含む。方法は、時間区間の第２の部分の間に、電力変換装置の出力から供給電力を出力することを更に含む。供給電力は、（ｉ）時間区間の第２の部分の間に入力において受け取られた入力電力と、（ｉｉ）時間区間の第１の部分の間に電力バッファに蓄積された電力とを組み合わせた電力を含む。方法はまた、時間区間の第２の部分の間に供給電力を使用して、ターゲットレベルの抗菌効果を提供する強度でＵＶ光を発するようにＵＶ光源を作動させることを含む。時間区間の第２の部分の間に受け取られた入力電力は、ターゲットレベルの抗菌効果を提供する強度でＵＶ光を発するようにＵＶ光源を作動させるには、それだけでは不十分である。
【０００４】
別の実施例では、光制御システムが記載される。光制御システムは、電力変換装置及びＵＶ光源を含む。電力変換装置は、一の時間区間の間に電力源から入力電力を受け取るように構成された入力、時間区間の第１の部分の間に入力において受け取られた入力電力を使用して電力を蓄積するように構成された電力バッファ、及び時間区間の第２の部分の間に供給電力を出力するように構成された出力を含む。供給電力は、（ｉ）時間区間の第２の部分の間に入力において受け取られた入力電力と、（ｉｉ）時間区間の第１の部分の間に電力バッファに蓄積された電力とを組み合わせた電力を含む。ＵＶ光源は、時間区間の第２の部分の間に供給電力を使用して、ターゲットレベルの抗菌効果を提供する強度でＵＶ光を発するように構成されている。時間区間の第２の部分の間に受け取られた入力電力は、ＵＶ光源がターゲットレベルの抗菌効果を提供する強度でＵＶ光を発するには、それだけでは不十分である。
【０００５】
別の実施例では、光制御システムが記載される。光制御システムは、電力源から受け取った入力電力を供給電力へと変換するように構成された電力変換装置を含む。供給電力は、入力電力のワット数より大きいワット数を有する。光制御システムはまた、供給電力を使用して、ターゲットレベルの抗菌効果を提供する強度でＵＶ光を発するように構成されたＵＶ光源を含む。入力電力のワット数は、ＵＶ光源がターゲットレベルの抗菌効果を提供する強度でＵＶ光を発するには、それだけでは不十分である。光制御システは、光センサ及び制御装置を更に含む。光センサは、ＵＶ光源によって発せられたＵＶ光の光学パラメータを測定するように構成されている。光学パラメータは、ＵＶ光源に対する電力変換装置の共鳴に関連している。制御装置は、電力変換装置及び光センサに通信可能に連結する。制御装置は、（ｉ）光センサから、光学パラメータを示すセンサ信号を受け取り、（ｉｉ）センサ信号によって示される光学パラメータに基づき、電力変換装置にフィードバック信号を提供して電力変換装置をＵＶ光源の周波数に同調させるように構成される。
【０００６】
上述のフィーチャ、機能、及び利点は、様々な実施形態において単独で実現することが可能であるか、又は他の実施形態において組み合わせることができ、これら実施形態の詳細は、以下の説明及び添付図面に更にみることができる。
【図面の簡単な説明】
【０００７】
例示的な実施形態の新規のフィーチャと考えられる特徴は、付随する特許請求の範囲に明記される。しかしながら、例示的実施形態、並びに好ましい使用モード、更なる目的、及びそれらの説明は、添付図面と併せて本発明の例示的実施形態の以下の詳細な説明を読むことによって、最もよく理解されるであろう。
【０００８】
【図１】例示的一実施形態による光制御システムの概略線図である。
【図２】例示的一実施形態によるＵＶ光源を動作させるための例示的プロセスのフロー図である。
【図３】図２に示されるプロセスに使用できるＵＶ光源を動作させるための例示的プロセスのフロー図である。
【図４】図３に示されるプロセスに使用できるＵＶ光源を動作させるための例示的プロセスのフロー図である。
【図５】図２〜４に示されるプロセスに使用できるＵＶ光源を動作させるための例示的プロセスのフロー図である。
【図６】図５に示されるプロセスに使用できるＵＶ光源を動作させるための例示的プロセスのフロー図である。
【図７】図６に示されるプロセスに使用できるＵＶ光源を動作させるための例示的プロセスのフロー図である。
【図８】図５〜７に示されるプロセスに使用できるＵＶ光源を動作させるための例示的プロセスのフロー図である。
【発明を実施するための形態】
【０００９】
これより、添付図面を参照し、開示される実施形態について更に網羅的に説明するが、添付図面には、開示される実施形態の全部ではなく一部が示されている。実際には、幾つかの異なる実施形態が説明されているといえるが、これら実施形態は、本書に明示される実施形態に限定されるものではない。むしろ、これら実施形態は、この開示が網羅的かつ包括的なものとなるように、且つ本開示の範囲が当業者に十分に伝わるように、説明される。
【００１０】
本発明のシステム及び方法は、電力が制限されている環境においてターゲットレベルの抗菌効果を達成するようにＵＶ抗原を動作させるための光制御システム及び方法を提供する。各作動サイクルの間に作動されると、ＵＶ光源はＵＶ光を発し、このＵＶ光は、細菌、ウイルス、かび、及び／又はその他病原体といった微生物を殺す及び／又は無能にすることができる。例えば、微生物が十分に高い線量のＵＶ光に曝されるとき、ＵＶ光は、微生物の核酸に損傷を与える及び／又はデオキシリボ核酸（ＤＮＡ）を破壊することができ、これにより微生物は細胞機能を実施して人々を感染させることができなくなる。
【００１１】
作動サイクルの間のＵＶ光の抗菌効果は、例えば、微生物がＵＶ光に曝される時間の長さ（即ち、「曝露時間」）、ＵＶ光の強度、及びＵＶ光の波長といった要因に関連する。一例として、特定の波長のＵＶ光の抗菌効果は、ＵＶ線量として特定することができ、これは以下の一般形を有する等式に基づいて決定することができる。
ＵＶ線量＝ＵＶ光強度×曝露時間（式１）
上式中、ＵＶ線量はｍＷｓ／ｃｍ2で特定され、ＵＶ光強度はＵＶ光源からの所定の距離（例えば１メートル）におけるｍＷ／ｃｍ2で特定され、曝露時間は秒で特定される。
【００１２】
ＵＶ光源は、電力をＵＶ光へと変換するため、ＵＶ光源は、ターゲットレベルの抗菌効果を提供する強度で及び／又は曝露時間にわたりＵＶ光を発するために、少なくとも閾値の電力量を必要とし得る。ターゲットレベルの抗菌効果でＵＶ光を発するために必要とされる閾値の電力量は、例えば、ＵＶ光源の種類、及び／又はＵＶ光源の大きさといったＵＶ光源の特徴に基づく。
【００１３】
電力が制限されている環境では、電力源及び／又は配電システムは、ターゲットレベルの抗菌効果でＵＶ光を発するようにＵＶ光源を作動させるには、それだけでは不十分な電力を提供することがある。一実施例では、ＵＶ光源は、ターゲットレベルの抗菌効果でＵＶ光を発するためにＵＶ光源によって必要とされる閾値の電力量より小さい電力を生成するように構成されている電力源に連結することができる。例えば、ＵＶ光源は、電力源の大きさ及び／又は重量を低減（又は最小化）することが望ましい環境に設置することができる。
【００１４】
別の実施例では、電力源は、十分な電力量を生成するように構成されるが、配電システムが生成された電力の一部を他のシステムにも供給するため、電力の不十分な部分しかＵＶ光源で利用できない場合がある。例えば、一のビークルは、電力バジェットに従って、電力源によって供給される電力の特定の部分をビークルの様々なサブシステムに提供する配電システムを有することができる。このようにして、各サブシステムは、その必要を満たすために十分な電力量を受け取る。しかしながら、電力バジェット及び配電システムの設計時にＵＶ光源の電力要件が考慮されなかった場合にビークルにＵＶ光源が追加導入されるとき、問題が生じる。
【００１５】
本明細書に記載される例示的システム及び方法は、電力が制限されている環境においてＵＶ光源をターゲットレベルの抗菌効果で動作させるという課題を有利な方法で克服することができる。実施例において、光制御システムは、一の時間区間の間に電力源から入力電力を受け取ることができる。光制御システムのＵＶ光源は、時間区間の第１の部分の間に作動停止され、時間区間の第２の部分の間にＵＶ光を発するように作動される。しかしながら、時間区間の第２の部分の間に受け取られた入力電力は、ターゲットレベルの抗菌効果でＵＶ光を発するようにＵＶ光源を作動させるには、それだけでは不十分である。
【００１６】
入力電力のこのような限界に対処するために、光制御システムは、時間区間の第１の部分の間に電力バッファに入力電力を蓄積することができる。その後、時間区間の第２の部分の間に、光制御システムはＵＶ光源に対し、（ｉ）時間区間の第２の部分の間に受け取られた入力電力と、（ｉｉ）時間区間の第１の部分の間に電力バッファに蓄積された電力とを組み合わせた供給電力を提供することができる。このような電力の組み合わせは、ターゲットレベルの抗菌効果でＵＶ光を発するようにＵＶ光源を作動させるために十分である。
【００１７】
また、実施例において、光制御システムは、ＵＶ光源によって発せられたＵＶ光を効果的に測定し、ＵＶ光源による供給電力の効率的な使用を強化する（又は最大化する）ためのフィードバックを提供することができる。例えば、光制御システムは、発せられたＵＶ光を感知して、ＵＶ光源に対する電力変換装置の共鳴に関連する光学パラメータを測定する光センサを含むことができる。測定されたＵＶ光の光学パラメータに基づいて、制御装置は、電力変換装置をＵＶ光源と共鳴して動作させるフィードバック信号を提供することができる。電力変換装置をＵＶ光源と共鳴して動作させることにより、供給電力を、より効率的にＵＶ光へと変換することができる。このようにして、動的フィードバック制御によりＵＶ光の抗菌効果のレベルを高める、及び／又は電力バッファの大きさ及び／又は重量を低減する（又は最小化する）ことができる。
【００１８】
実施例において、本明細書に記載される光制御システムは、電力源を有するあらゆる環境に位置させることができる。例えば、光制御システムは、ビークル（例えば、航空機、ボート、列車、及び／又は自動車）、医療環境（例えば、病院、診察室、及び／又は他のヘルスケア施設）、レストラン、事務所、及び／又は一般家庭に位置させることができる。一実装態様では、光制御システムは、ビークルの洗面所に位置している。
【００１９】
ここで図１を参照すると、例示的一実施形態による光制御システム１００が示されている。図１に示すように、光制御システム１００はＵＶ光源１１０を含む。ＵＶ光源１１０は、作動されると、ターゲットレベルの抗菌効果を提供するＵＶ光１１２を発することができる。例えば、ＵＶ光源１１０は、一作動サイクルの間にターゲットレベルの抗菌効果を達成するために、所定の曝露時間にわたり所定の波長及び強度でＵＶ光１１２を発することができる。一実施例では、ＵＶ光源１１０は、一作動サイクルの間にターゲットレベルの抗菌効果を達成するために、１０秒の曝露時間にわたり１０ｍＷ／ｃｍ２の強度でＵＶ光１１２を発することができる。
【００２０】
また、一実施例として、ＵＶ光源１１０は、一又は複数のエキシマバルブ、水銀灯、ダウンシフト式蛍光灯、及び／又は発光ダイオード（ＬＥＤ）を含むことができる。更に一般的には、ＵＶ光源１１０は、ＵＶスペクトル（即ち、約１０ナノメートル（ｎｍ）と約４００ｎｍの間）内の波長でＵＶ光１１２を発する光源とすることができる。幾つかの実装態様では、ＵＶ光源１１０は、遠紫外スペクトル（例えば、約１９０ｎｍと約２４０ｎｍの間）内の波長でＵＶ光１１２を発する光源とすることができる。例えば、一実装態様では、ＵＶ光源１１０は、約２２２ｎｍの波長でＵＶ光１１２を発する光源とすることができる。ＵＶ光１１２を遠紫外スペクトル内の波長で発することにより、ＵＶ光源１１０は、ＵＶ光１１２をＵＶスペクトル内の他の波長で発するよりも迅速に環境を消毒することができる。
【００２１】
図１に示すように、光制御システム１００は、ＵＶ光源１１０に連結された電力変換装置１１４も含む。電力変換装置１１４は、入力１１８において電力源１１６から入力電力を受け取り、出力１２０においてＵＶ光１１２の光源に供給電力を出力する。一実施例として、電力源１１６は、交流電流（ＡＣ）電力として入力電力を提供することができる。一実装態様では、電力源１１６は、１１５ボルト（Ｖ）の電圧及び４００ヘルツ（Ｈｚ）の周波数を有する三相ＡＣ電力として入力電力を提供することができる。例えば、一のビークルでは、電力源１１６は、電気エネルギーを生成するエンジンタービンと、生成された電気エネルギーを入力電力の形態で光制御システム１００に提供する配電システムとを含むことができる。他の例示的電力源１１６も可能である。
【００２２】
電力変換装置１１４は、入力電力を供給電力へと変換する。実施例では、供給電力は、入力電力とは異なるＡＣ波形を有することができる。例えば、供給電力は、入力電力とは異なる周波数、電圧、及び／又は電流を有することができる。更に一般的には、供給電力は、入力電力のワット数より大きいワット数を有することができる。したがって、電力変換装置１１４は、ＵＶ光源１１０に対し、ターゲットレベルの抗菌効果でＵＶ光１１２を発するために十分な供給電力を提供することができる。一実施例では、入力電力は、１ｋＷ未満のワット数を有することができ、供給電力は、１ｋＷ以上のワット数を有することができる。
【００２３】
図１では、電力変換装置１１４は、入力１１８、整流器１２２、直流電流（ＤＣ）リンク１２４、インバータ１２６、電力バッファ１２８、及び出力１２０を含んでいる。整流器１２２は、入力１１８に連結されて入力１１８から入力電力を受け取る。整流器１２２は、ＡＣ入力電力をＤＣ電力に変換することができる。一実施例では、整流器１２２は、入力電力の力率を補正して光制御システム１００が入力電力をもっと効率的に使用することを容易にする力率補正装置（ＰＦＣ）１３０を含む。ＰＦＣ１３０は、電力源１１６（及び／又は電力源１１６に連結された他の電気的サブシステム）から光制御システム１００を単離することを容易にすることもできる。実施例において、ＰＦＣ１３０は、受動ＰＦＣ回路、能動ＰＦＣ回路、及び／又は動的ＰＦＣ回路を含むことができる。
【００２４】
整流器１２２は、ＤＣリンク１２４を介してインバータ１２６に連結される。以下に更に詳細に記載するように、光源１１０が作動されると、インバータ１２６は整流器１２２から受け取ったＤＣ電力をＡＣ電力に変換し、これは供給電力の一部を出力１２０に提供する。ＤＣリンク１２４は、整流器１２２とインバータ１２６の連結を容易にする。一実施例では、ＤＣリンク１２４は、整流器１２２とインバータ１２６の間に並行に連結されたコンデンサを含むことができる。ＤＣリンク１２４は、電力源１１６に向かって伝播する過渡状態の低減を助ける及び／又は整流器１２２によって提供される整流済みＤＣ電力のパルスの平滑化を助けることができる。
【００２５】
図１に示すように、電力バッファ１２８は、整流器１２２とＤＣリンク１２４の間、及びＤＣリンク１２４とインバータ１２６の間に並行に連結されている。電力バッファ１２８は、ＵＶ光源１１０が作動停止されると、入力１１８で受け取った入力電力を用いて電力を蓄積する。一実施例として、電力バッファ１２８は、バッテリ、コンデンサ、及び／又は別の種類のエネルギー蓄積装置を含むことができる。
【００２６】
図１の実施例では、電力バッファ１２８は、互いに連結された複数のＤＣ／ＤＣ変換装置１３２を含む。ＵＶ光源１１０が作動停止されると、ＤＣ／ＤＣ変換装置１３２は整流器１２２からＤＣ電力を受け取る。一実装態様では、ＤＣ／ＤＣ変換装置１３２は、整流器１２２から受け取ったＤＣ電力を下げる第１のＤＣ／ＤＣ変換装置と、ＤＣ電力を上げる第２のＤＣ／ＤＣ変換装置とを含む。ＤＣ／ＤＣ変換装置１３２のこのような構成は、電力バッファ１２８の大きさ及び／又は重量を効果的に低減（又は最小化）することができる。
【００２７】
上記のように、インバータ１２６は、整流器１２２及び電力バッファ１２８に連結されている。このような構成では、光源１１０が作動されると、インバータ１２６は整流器１２２からのＤＣ電力及び電力バッファ１２８に蓄積された電力を受け取ることができる。インバータ１２６は、整流器１２２からのＤＣ電力と電力バッファ１２８のこのような組み合わせを供給電力へと変換することができ、これはＡＣ波形を有している。一実施例では、インバータ１２６は、パルス幅変調器（ＰＷＭ）１３４を含むことができ、これは、供給電力の周波数を制御するために、オンとオフで切り替えることができる。別の実施例では、インバータ１２６は、追加的に又は代替的に、ＤＣ電力の組み合わせを供給電力へと変換する正弦波発生器及び／又は搬送波発生器を含むことができる。
【００２８】
図１に更に示すように、光制御システム１００は、電力変換装置１１４及び光センサ１３８に通信可能に連結される制御装置１３６も含むことができる。光センサ１３８は、ＵＶ光源１１０によって発せられるＵＶ光１１２を感知し、感知されたＵＶ光１１２の光学パラメータを測定し、光センサ１３８によって測定された光学パラメータを示すセンサ信号を制御装置１３６に提供することができる。したがって、光センサ１３８は、光源１１０によって発せられたＵＶ光１１２の一部が光センサ１３８に入射するように配置することができる。例として、光センサ１３８は、ＵＶ光１１２の光学パラメータを感知及び測定するために、一又は複数のフォトダイオード、光接合装置、光依存抵抗器（ＬＤＲ）、及び／又は光伝導セルを含むことができる。
【００２９】
制御装置１３６は、光センサ１３８からセンサ信号を受け取り、センサ信号によって示される光学パラメータとターゲット光学パラメータとを比較することができる。ターゲット光学パラメータは、固定値及び／又は調節可能な値とすることができる。比較に基づいて、制御装置１３６は、フィードバック信号を電力変換装置１１４に提供し、電力変換装置１１４に供給電力の電気パラメータを調節させることができる。例えば、電気パラメータは、供給電力のＡＣ波形の周波数及び／又はパルス幅とすることができ、したがってフィードバック信号は、供給電力のＡＣ波形の周波数及び／又はパルス幅を調節するために、ＰＷＭ１３４に、フィードバック信号に基づいてオンとオフを切り替えさせることができる。
【００３０】
一実施例では、光センサ１３８によって測定される光学パラメータは、ＵＶ光源１１０に対する電力変換装置１１４の共鳴に関連する。例えば、ＵＶ光源１１０が供給電力を使用して作動されると、ＵＶ光源１１０内のガスは、光源１１０の周波数を規定することのできる、イオン形成及びイオン再結合のプロセスを経ることができる。供給電力のＡＣ波形が光源１１０の周波数と共鳴する周波数及び／又はパルス幅を有するとき、ＵＶ光源１１０によって発せられるＵＶ光１１２の強度は、入力１１８において受け取られる入力電力と一致する最大強度である。
【００３１】
実施例において、光センサ１３８は、ＵＶ光源１１０に対する電力変換装置１１４の共鳴を示すものとして、ＵＶ光１１２の放射照度を測定することができる。例えば、電力変換装置１１４及び／又は光源１１０の一又は複数の特徴に基づいて、ＵＶ光１１２の放射照度は、電力変換装置１１４がＵＶ光源１１０と共鳴するとき（即ち、供給電力の周波数及び／又はパルス幅がＵＶ光源１１０の周波数と共鳴するとき）、ターゲット放射照度を有すると予測することができる。したがって、制御装置１３６は、センサ信号によって示される放射照度とターゲット放射照度とを比較し、この比較に基づいて、フィードバック信号を電力変換装置１１４に提供し、電力変換装置１１４をＵＶ光源１１０の周波数に同調させることができる。光源１１０の周波数は時間の経過と共にドリフトし得るため、制御装置１３６及び光センサ１３８は、ＵＶ光源１１０の複数の作動サイクルにわたって（例えば、ＵＶ光源１１０の使用寿命を通して）電力変換装置１１４と光源１１０との共鳴を維持するように、電力変換装置１１４の動作を動的に調節することができる。
【００３２】
更に、電力変換装置１１４をＵＶ光源１１０の周波数に同調させることにより、ＵＶ光源１１０の効率を上昇（又は最大化）することができる。これにより、光源１１０がターゲットレベルの抗菌効果でＵＶ光１１２を発するための電力要件を満たすために電力バッファ１２８に蓄積する必要のある電力が減少するため、電力バッファ１２８は比較的小さく及び／又は軽くすることが可能となる。
【００３３】
上記のように、ターゲット光学パラメータは、一実施例では固定値とすることができる。別の実施例では、ターゲット光学パラメータは調節可能とすることができる。例えば、制御装置１３６は、測定される放射照度をピーク値に維持するように、一又は複数の以前に測定された光学パラメータを使用してターゲット光学パラメータを繰り返し調節することができる。
【００３４】
図１では、制御装置１３６は、ＵＶ光源１１０の作動及び作動解除を制御することもできる。例えば、制御装置１３６は、一又は複数のトリガ条件を検出し、それに対応してトリガ条件が検出されたことを示すトリガ−センサ信号を生成することのできる一又は複数のトリガセンサ１４０に連結可能である。制御装置１３６は、（ｉ）トリガ条件が検出されたことを示すトリガ−センサ信号を受け取り，（ｉｉ）トリガ−センサ信号に基づいて、一又は複数の基準が満たされたと判定し、（ｉｉｉ）一又は複数の基準が満たされたとの判定に応答して、ＵＶ光源１１０作動をさせる制御信号を送信することができる。
【００３５】
一実施例では、トリガセンサ１４０は、モーションセンサ、占有センサ、温度センサ、開閉センサ、赤外センサ装置、超音波センサ装置、床圧力センサ、及び／又は他の種類のセンサを含むことができる。例えば、光制御システム１００が洗面所を有するビークル上に位置する一実施例では、トリガセンサ１４０によって検出されるトリガ条件は、洗面所のドアが開放されていること、洗面所のドアが閉じていること、洗面所が占有されていること、及び／又は洗面所が占有されていないことを含むことができる。加えて、例えば、ＵＶ光源１１０を作動させるかどうかを判定するために制御装置１３６によって使用される一又は複数の基準は、洗面所のドアが閉じていること、洗面所が占有されていないこと、ＵＶ光源１１０の前回の作動以来洗面所が所定の回数占有されたこと、及び／又はＵＶ光源１１０の前回の作動以来所定の時間が経過したことといった一又は複数の基準を含むことができる。
【００３６】
追加的又は代替的一実施例では、トリガーセンサ１４０は、電力バッファ１２８に蓄積された電力量を測定するためのセンサを含むことができる。このような実施例では、トリガーセンサ１４０は、電力バッファ１２８に蓄積された電力量を示すトリガーセンサ信号を生成することができ、制御装置１３６は、示された電力量が一作動サイクルの間にターゲットレベルの抗菌効果でＵＶ光源１１０を作動させるために十分であるかどうかを判定することができる。例えば、制御装置１３６は、トリガーセンサ信号によって示された電力量と、制御装置１３６に蓄積された閾値の電力量とを比較することができる。示された電力量が閾値電力量より大きいと制御装置１３６が判定することに応答して、制御装置１３６は、ＵＶ光源１１０を作動させる制御信号を電力変換装置１１４へと送信することができる。反対に、示された電力量が閾値電力量より小さいと制御装置１３６が判定することに応答して、制御装置１３６は、制御信号を送信する前に、電力バッファ１２８が少なくとも閾値電力量を有するまで、引き続き待機することができる。
【００３７】
一般に、制御装置１３６は、光制御システム１００の動作を制御するように構成されたコンピューティング装置である。したがって、制御装置１３６は、ハードウエア、ソフトウエア、及び／又はファームウエアを使用して実装することができる。例えば、制御装置１３６は、一又は複数のプロセッサと、機械語指令又は他の実行可能指令を記憶する、非一過性のコンピュータ可読媒体（例えば揮発性及び／又は非揮発性のメモリ）とを含み得る。これら指令は、一又は複数のプロセッサによって実行されると、光制御システム１００に本明細書に記載される様々な動作を実行させる。したがって、制御装置１３６は、データ（センサ信号及び／又はトリガ−センサ信号によって示されるデータを含む）を受け取り、またデータをそのメモリに記憶することができる。
【００３８】
動作時には、光制御システム１００は、時間区間の第１の部分及び時間区間の第２の部分の間に、電力変換装置１１４の入力１１８において電力源１１６から入力電力を受け取る。ＵＶ光源１１０は、時間区間の第１の部分の間に作動停止する。ＵＶ光源１１０は、時間区間の第２の部分の間に作動される。しかしながら、時間区間の第２の部分の間に受け取られた入力電力は、ＵＶ光源１１０がターゲットレベルの抗菌効果を提供する強度で及び／又は曝露時間にわたりＵＶ光１１２を発するには、それだけでは不十分である。
【００３９】
ＵＶ光源１１０が時間区間の第１の部分の間に作動停止される間に、整流器１２２は入力電力をＤＣ電力に変換し、ＤＣ電力は電力バッファ１２８に蓄積される。時間区間の第１の部分の後、制御装置１３６は、時間区間の第２の部分の間にＵＶ光源１１０を作動させることができる。例えば、トリガーセンサ１４０がトリガー条件を検出し、制御装置１３６が、少なくとも部分的にトリガーセンサ１４０から受け取ったトリガーセンサ信号に基づいてＵＶ光源１１０を作動させるための基準が満たされたと判定することに応答して、制御装置１３６はＵＶ光源１１０を作動させることができる。
【００４０】
時間区間の第２の部分の間、電力変換装置１１４は、出力１２０からＵＶ光源１１０に供給電力を出力する。ＵＶ光源１１０は、時間区間の第２の部分の間に供給電力を使用して、ターゲットレベルの抗菌効果を提供する強度で及び／又は曝露時間にわたり、ＵＶ光１１２を発することができる。
【００４１】
上記のように、供給電力は、（ｉ）時間区間の第２の部分の間に入力１１８で受け取られた入力電力と、（ｉｉ）時間区間の第１の部分の間に電力バッファ１２８に蓄積された電力とを組み合わせた電力を含むことができる。例えば、時間区間の第２の部分の間にＵＶ光源１１０が作動されると、整流器１２２は、入力電力をＤＣ電力に変換し、ＤＣ電力をインバータ１２６に提供することができる。加えて、時間区間の第２の部分の間にＵＶ光源１１０が作動されると、電力バッファ１２８は、電圧ドループを感知し、それに応答して、電力バッファ１２８に蓄積された電力を１２６に提供することができる。したがって、インバータ１２６は整流器１２２からのＤＣ電力と電力バッファ１２８からの蓄積された電力を受け取り、このような電力の組み合わせを供給電力へと変換する。時間区間の第２の部分の間に入力１１８で受け取られた入力電力と電力バッファ１２８に蓄積された電力とを組み合わせることにより、電力変換装置１１４は、ＵＶ光源１１０に対し、ターゲットレベルの抗菌効果でＵＶ光源１１０を作動させるために十分な電力を提供することができる。
【００４２】
加えて、時間区間の第２の部分の間に、光センサ１３８は、光源１１０によって発せられたＵＶ光１１２の一部を感知して、ＵＶ光１１２の光学パラメータを測定することができる。光学パラメータは、ＵＶ光源１１０に対する電力変換装置１１４の共鳴に関連し得る。光センサ１３８は、測定された光学パラメータを示すセンサ信号を制御装置１３６に送信することができる。次いで、制御装置１３６は、センサ信号によって示された光学パラメータとターゲット光学パラメータとの比較を実施することができる。比較に基づき、制御装置１３６は、電力変換装置１１４と光源１１０が、ＵＶ光源１１０の現作動サイクルの残りの部分及び／又は次の作動サイクルについて共鳴することができるように、フィードバック信号を電力変換装置１１４に提供して電力変換装置１１４をＵＶ光源１１０の周波数に同調させることができる。
【００４３】
一実施例では、抗菌効果のターゲットレベルは、１０ｍＷ／ｃｍ２の強度と１０秒の曝露時間により規定することができる。この実施例では、入力１１８は、入力電力が約１００Ｗのワット数（即ち、１ｋＷ未満）を有するように、約１１５ＶＡＣの電圧、約４００Ｈｚの周波数、及び０．５アンペア（Ａ）の電流を有する三相ＡＣ電力としての入力電力を受け取ることができる。したがって、入力電力は、ＵＶ光源１１０を抗菌効果のターゲットレベルで作動させるためにそれだけでは不十分である。整流器１２２は、入力電力を、約２００ＶＤＣの電圧と約０．５Ａの電流を有するＤＣ電力へと変換することができる。電力バッファ１２８は、ＤＣ電力を２００ＶＤＣから２８ＶＤＣへと下げる第１のＤＣ／ＤＣ変換装置、及びＤＣ電力を２８ＶＤＣから２００ＶＤＣへと上げる第２のＤＣ／ＤＣ変換装置を含むことができる。
【００４４】
このような構成では、時間区間の第１の部分の間、整流器１２２は入力電力を２００ＶＤＣの電力へと変換し、電力バッファ１２８は２００ＶＤＣの電力を蓄積する。時間区間の第２の部分の間、整流器１２２は入力電力を２００ＶＤＣの電力へと変換し、２００ＶＤＣの電力をインバータ１２６に提供する。また、時間区間の第２の部分の間、電力バッファ１２８は蓄積された電力を約２００ＶＤＣの電圧及び約５Ａの電流でインバータ１２６に提供する。結果として、インバータ１２６は、供給電力が１ｋＷ以上のワット数を有するように、２００ＶＤＣの電力と少なくとも５Ａの電流の組み合わせを受け取る。この実施例では、電力バッファ１２８は、少なくとも２００ＶＤＣ及び５Ａで１０秒の曝露時間にわたって蓄積された電力を提供するために十分大きいエネルギー蓄積容量を有することができる。このようにして、電力変換装置１１４は、ＵＶ光源１１０の作動サイクルの間抗菌効果のターゲットレベルを達成するために十分な電力を有するＵＶ光源１１０を提供することができる。
【００４５】
上述の実施例では、ターゲットレベルの抗菌効果は、約１０ｍＷｓ／ｃｍ２のＵＶ線量である。追加的又は代替的実施例では、ターゲットレベルの抗菌効果は、約２ｍＷｓ／ｃｍ２から約５００ｍＷｓ／ｃｍ２のＵＶ線量とすることができる。異なる微生物は、ＵＶ光１１２への曝露に対して異なる耐性を有し得る。幾つかの実装態様では、ターゲットレベルの抗菌効果は、光制御システム１００による消毒のターゲットとされる一又は複数の種類の微生物のターゲット微生物殺傷率に基づかせることができる。例として、ターゲット微生物殺傷率は、ＵＶ線量を照射される一又は複数のターゲット生物の約８０％、約９０％、約９５％、約９９％、約９９．９％、及び／又は約９９．９９％とすることができる。
【００４６】
加えて、上述の実施例では、電力バッファ１２８に蓄積された電力は、供給電力の約９０％を提供し、時間区間の第２の部分の間に受け取られた入力電力は、供給電力の約１０％を提供する。追加的又は代替的実施例では、第２の時間部分の間に受け取られた入力電力は、供給電力の約５％から約９５％を提供することができ、電力バッファ１２８に蓄積された電力は、残りの供給電力を提供することができる。
【００４７】
ここで図２を参照すると、例示的一実施形態によるＵＶ光源を動作させるプロセス２００のフロー図が示されている。図２に示すように、ブロック２１０において、プロセス２００は、時間区間の第１の部分及び時間区間の第２の部分の間に、電力変換装置の入力において、電力源から入力電力を受け取ることを含む。ブロック２１２では、プロセス２００は、時間区間の第１の部分の間に、入力電力を使用して電力バッファに電力を蓄積することを含む。ブロック２１４では、プロセス２００は、時間区間の第２の部分の間に、電力変換装置の出力から供給電力を出力することを含む。供給電力は、（ｉ）時間区間の第２の部分の間に入力において受け取られた入力電力と、（ｉｉ）時間区間の第１の部分の間に電力バッファに蓄積された電力とを組み合わせた電力を含む。ブロック２１６では、プロセス２００は、時間区間の第２の部分の間に供給電力を使用して、ターゲットレベルの抗菌効果を提供する強度でＵＶ光を発するようにＵＶ光源を作動させることを含む。プロセス２００に関し、時間区間の第２の部分の間に受け取られた入力電力は、ターゲットレベルの抗菌効果を提供する強度でＵＶ光を発するようにＵＶ光源を作動させるには、それだけでは不十分である。
【００４８】
図３から図８には、更なる例によるプロセスの追加の態様が示されている。図３に示すように、プロセス２００は、ブロック２１８において、ＵＶ光源によって発せられたＵＶ光を感知してＵＶ光の光学パラメータを測定することを更に含むことができる。一実施例では、光学パラメータは、ＵＶ光源に対する電力変換装置の共鳴に関連し得る。ブロック２２０において、プロセス２００は、測定された光学パラメータに基づいて、電力変換装置をＵＶ光源の周波数に同調させるためのフィードバックを提供することを含むことができる。
【００４９】
図４に示すように、ブロック２１８においてＵＶ光を感知して光学パラメータを測定することは、ブロック２２２においてＵＶ光の放射照度を測定することを含むことができる。図５に示すように、プロセス２００は、電力バッファに電力を蓄積することに先立ち、入力電力をＡＣ電力からＤＣ電力へと変換することを含むことができる。図６に示すように、ブロック２１２において電力バッファに電力を蓄積することは、ブロック２２６において、互いに連結された複数のＤＣ／ＤＣ変換装置にＤＣ電力を蓄積することを含むことができる。図７に示すように、ブロック２２６において複数のＤＣ／ＤＣ変換装置にＤＣ電力を蓄積することは、ブロック２２８において、第１のＤＣ／ＤＣ変換装置においてＤＣ電力を下げ、第２のＤＣ／ＤＣ変換装置においてＤＣ電力を上げることを含むことができる。図８に示すように、ブロック２２４において入力電力を変換することは、ブロック２３０において入力電力の力率を補正することを含むことができる。
【００５０】
プロセス２００は、線形及び／又は非線形プロセスとすることができる。図２〜８に示されるブロックのいずれもが、プロセスにおける特定の論理機能又は論理ステップを実装するためにプロセッサによって実行可能な一又は複数の指令を含む、プログラムコードのモジュール、セグメント、又は一部分を表わし得る。プログラムコードは、例えば、ディスク又はハードドライブを含む記憶装置といった任意の種類のコンピュータ可読媒体又はデータ記憶装置に記憶させることができる。更に、プログラムコードは、コンピュータ可読記憶媒体において機械可読形式で、又は他の非一過性媒体又は製造品において符号化されうる。このコンピュータ可読媒体は、例えば、レジスタメモリ、プロセッサキャッシュ、及びランダムアクセスメモリ（ＲＡＭ）のようなデータを短期間記憶するコンピュータ可読媒体などの非一過性コンピュータ可読媒体又はメモリを含んでもよい。コンピュータ可読媒体は、例えば、読み出し専用メモリ（ＲＯＭ）、光学又は磁気ディスク、コンパクトディスク読み出し専用メモリ（ＣＤ−ＲＯＭ）のような二次的又は永続的な長期的ストレージなどの非一過性媒体を更に含んでもよい。コンピュータ可読媒体は、更に、任意の他の揮発性又は非揮発性のストレージシステムであってもよい。コンピュータ可読媒体は、例えば、有形のコンピュータ可読記憶媒体と考えることができる。
【００５１】
更に、本開示は、以下の条項による実施形態を含む。
条項１．
紫外（ＵＶ）光源（１１０）を動作させる方法であって、
時間区間の第１の部分及び前記時間区間の第２の部分の間に、電力変換装置（１１４）の入力（１１８）において、電力源（１１６）から入力電力を受け取ること、
前記時間区間の前記第１の部分の間に、前記入力電力を使用して電力バッファ（１２８）に電力を蓄積すること、
前記時間区間の前記第２の部分の間に、前記電力変換装置（１１４）の出力（１２０）から供給電力を出力することであって、前記供給電力が、（ｉ）前記時間区間の前記第２の部分の間に前記入力（１１８）において受け取られた前記入力電力と、（ｉｉ）前記時間区間の前記第１の部分の間に前記電力バッファ（１２８）に蓄積された前記電力とを組み合わせた電力を含む、出力すること、及び
前記時間区間の前記第２の部分の間に前記供給電力を使用して、ターゲットレベルの抗菌効果を提供する強度でＵＶ光（１１２）を発するように前記ＵＶ光源（１１０）を作動させること
を含み、前記時間区間の前記第２の部分の間に受け取られた前記入力電力が、前記ターゲットレベルの抗菌効果を提供する前記強度で前記ＵＶ光（１１２）を発するように前記ＵＶ光源（１１０）を作動させるには、それだけでは不十分である、方法。
条項２．
前記ＵＶ光源（１１０）によって発せられた前記ＵＶ光（１１２）を感知して、前記ＵＶ光源（１１０）に対する電力変換装置（１１４）の共鳴に関連する前記ＵＶ光（１１２）の光学パラメータを測定すること、及び
測定された前記光学パラメータに基づいて、前記ＵＶ光源（１１０）の周波数に前記電力変換装置（１１４）を同調させるためのフィードバックを提供すること
を更に含む、条項１の方法。
条項３．
前記ＵＶ光（１１２）を感知して前記光学パラメータを測定することが、前記ＵＶ光（１１２）の放射照度を測定することを含む、条項２の方法。
条項４．
前記強度が前記ＵＶ光源（１１０）の最大強度である、条項１、２、又は３の方法。
条項５．
前記電力バッファ（１２８）に前記電力を蓄積することに先立って、前記入力電力を交流電流（ＡＣ）電力から直流電流（ＤＣ）電力へと変換すること
を更に含む、条項１から４のいずれか一の方法。
条項６．
前記電力バッファ（１２８）に前記電力を蓄積することが、互いに連結された複数のＤＣ／ＤＣ変換装置（１３２）に前記ＤＣ電力を蓄積することを含む、条項５の方法。
条項７．
前記複数のＤＣ／ＤＣ変換装置（１３２）に前記ＤＣ電力を蓄積することが、第１のＤＣ／ＤＣ変換装置（１３２）において前記ＤＣ電力を下げ、第２のＤＣ／ＤＣ変換装置（１３２）において前記ＤＣ電力を上げることを含む、条項６の方法。
条項８．
前記入力電力を変換することが、前記入力電力の力率を補正することを更に含む、条項５、６、又は７の方法。
条項９．
前記ＵＶ光源（１１０）から前記ＵＶ光（１１２）を発することが、約１５０ｎｍから約２４０ｎｍの波長で前記ＵＶ光（１１２）を発することを含む、条項１から８のいずれか一の方法。
条項１０．
一の時間区間の間に電力源（１１６）から入力電力を受け取るように構成されている入力（１１８）、
前記時間区間の第１の部分の間に前記入力（１１８）において受け取られた前記入力電力を用いて電力を蓄積するように構成されている電力バッファ（１２８）、
前記時間区間の第２の部分の間に供給電力を出力するように構成されている出力（１２０）であって、前記供給電力が、（ｉ）前記時間区間の前記第２の部分の間に前記入力（１１８）において受け取られた前記入力電力と、（ｉｉ）前記時間区間の前記第１の部分の間に前記電力バッファ（１２８）に蓄積された前記電力とを組み合わせた電力を含む、出力（１２０）
を含む電力変換装置（１１４）と、
前記時間区間の前記第２の部分の間に前記供給電力を使用して、ターゲットレベルの抗菌効果を提供する強度でＵＶ光（１１２）を発するように構成されている紫外（ＵＶ）光源（１１０）と
を備えた光制御システム（１００）であって、
前記時間区間の前記第２の部分の間に受け取られた前記入力電力が、前記ＵＶ光源（１１０）が前記ターゲットレベルの抗菌効果を提供する前記強度で前記ＵＶ光（１１２）を発するには、それだけでは不十分である、光制御システム（１００）。
条項１１．
前記ＵＶ光源（１１０）によって発せられた前記ＵＶ光（１１２）の光学パラメータを測定するように構成されている光センサ（１３８）であって、前記光学パラメータが、前記ＵＶ光源（１１０）に対する前記電力変換装置（１１４）の共鳴に関連している、光センサ（１３８）、及び
前記電力変換装置（１１４）及び前記光センサ（１３８）に通信可能に連結されて、
前記光センサ（１３８）から前記光学パラメータを示すセンサ信号を受け取り、
前記センサ信号によって示された前記光学パラメータとターゲット光学パラメータとの比較を実施し、
前記比較に基づいて、フィードバック信号を前記電力変換装置（１１４）に提供し、前記電力変換装置（１１４）を前記ＵＶ光源（１１０）の周波数に同調させる
ように構成されている制御装置（１３６）
を更に備える、条項１０の光制御システム（１００）。
条項１２．
前記光学パラメータが前記ＵＶ光（１１２）の放射照度を含む、条項１１の光制御システム（１００）。
条項１３．
前記強度が前記ＵＶ光源（１１０）の最大強度である、条項１０、１１、又は１２の光制御システム（１００）。
条項１４．
前記入力電力が交流電流（ＡＣ）電力であり、
前記電力変換装置（１１４）が、前記入力電力を直流電流（ＤＣ）電力へと変換するように構成された整流器（１２２）を含む、
条項１０から１３のいずれか一の光制御システム（１００）。
条項１５．
前記整流器（１２２）が、前記入力電力の力率を補正するように構成された力率補正器（ＰＦＣ）（１３０）を含む、条項１４の光制御システム（１００）。
条項１６．
前記電力バッファ（１２８）が、前記整流器（１２２）から前記ＤＣ電力を受け取るように構成された、互いに連結されている複数のＤＣ／ＤＣ変換装置（１３２）を含む、条項１４又は１５の光制御システム（１００）。
条項１７．
前記複数のＤＣ／ＤＣ変換装置（１３２）が、第１のＤＣ／ＤＣ変換装置（１３２）及び第２のＤＣ／ＤＣ変換装置（１３２）を含み、
前記第１のＤＣ／ＤＣ変換装置（１３２）が、前記ＤＣ電力を下げるように構成されており、
前記第２のＤＣ／ＤＣ変換装置（１３２）が、前記ＤＣ電力を上げるように構成されている、
条項１６の光制御システム（１００）。
条項１８．
前記電力変換装置（１１４）が、前記時間区間の前記第２の部分の間に、
前記整流器（１２２）から前記ＤＣ電力を受け取り、
前記電力バッファ（１２８）に蓄積された前記電力を受け取り、
前記整流器（１２２）から受け取られた前記ＤＣ電力と、前記電力バッファ（１２８）から受け取られた前記電力とを、前記供給電力に変換する
ように構成されたインバータ（１２６）を更に備え、
前記供給電力がＡＣ電力である、
条項１４から１７のいずれか一の光制御システム（１００）。
条項１９．
前記インバータ（１２６）がパルス幅変調器（１３４）を含む、条項１８の光制御システム（１００）。
条項２０．
電力源（１１６）から受け取った入力電力を供給電力へと変換するように構成された電力変換装置（１１４）であって、前記供給電力が、前記入力電力のワット数より大きいワット数を有する、電力変換装置（１１４）、
前記供給電力を使用して、ターゲットレベルの抗菌効果を提供する強度でＵＶ光（１１２）を発するように構成された紫外（ＵＶ）光源（１１０）であって、前記入力電力の前記ワット数が、前記ＵＶ光源（１１０）がターゲットレベルの抗菌効果を提供する前記強度で前記ＵＶ光（１１２）を発するためにそれだけでは不十分である、紫外（ＵＶ）光源（１１０）、
前記ＵＶ光源（１１０）によって発せられた前記ＵＶ光（１１２）の光学パラメータを測定するように構成されている光センサ（１３８）であって、前記光学パラメータが、前記ＵＶ光源（１１０）に対する前記電力変換装置（１１４）の共鳴に関連している、光センサ（１３８）、及び
前記電力変換装置（１１４）及び前記光センサ（１３８）に通信可能に連結されて、前記光センサ（１３８）から前記光学パラメータを示すセンサ信号を受け取り、前記センサ信号によって示される前記光学パラメータに基づいて、フィードバック信号を前記電力変換装置（１１４）に提供し、前記電力変換装置（１１４）を前記ＵＶ光源（１１０）の周波数に同調させるように構成されている制御装置（１３６）
を備える光制御システム（１００）。
【００５２】
場合によっては、本明細書に記載される装置及び／又はシステムの構成要素は、機能を実行するように構成されてもよく、このような実行を可能にするために、（ハードウェア及び／又はソフトウェア付きで）実際に構成及び構築される。このとき、例示的構成は、システムに機能を実施させる指令を実行する一又は複数のプロセッサを含む。同様に、装置及び／又はシステムの構成要素は、例えば特定の方式で操作されたときに、機能の実施のために配置又は適合されるか、前記機能を実施可能であるように、又は機能の実施に適しているように、構成することができる。
【００５３】
種々の有利な構成についての説明は、例示及び説明を目的として提示されており、網羅的であること、又は開示されている形態の実施形態に限定することを意図するものではない。当業者には、多くの修正例及び変形例が自明となろう。更に、種々の有利な実施形態は、それ以外の有利な実施形態とは異なる利点を描写しうる。選択された一又は複数の実施形態は、実施形態の原理、実際の用途を解説するために、且つ、他の当業者が、想定される特定の用途に適した様々な修正例を伴う様々な実施形態の開示内容を理解することを可能にするために、選ばれ、説明されている。
【図１】
2019034117.tif 000002
【図２】
2019034117.tif 000003
【図３】
2019034117.tif 000004
【図４】
2019034117.tif 000005
【図５】
2019034117.tif 000006
【図６】
2019034117.tif 000007
【図７】
2019034117.tif 000008
【図８】
2019034117.tif 000009
【外国語明細書】
2019034117000001.pdf
2019034117000002.pdf
2019034117000003.pdf
2019034117000004.pdf